【手続補正書】
【提出日】平成29年11月15日(2017.11.15)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第１の基地局の仮想セル識別子を、前記第１の基地局と第１のユーザ機器（ＵＥ）との間の送信に関連付けることと、ここにおいて、前記仮想セル識別子が、第２の基地局と第２のＵＥとの間の送信にも関連付けられる、
前記第１の基地局と前記第１のＵＥとの間のアップリンクチャネルおよびダウンリンクチャネルにおける復調基準信号（ＤＭ−ＲＳ）の送信のための、共通リソースブロックのセットを識別することと、前記共通リソースブロックのセットの前記識別が、前記仮想セル識別子に少なくとも部分的に基づく
を備える方法。
【請求項２】
前記第１の基地局と前記第１のＵＥとの間の前記ＤＭ−ＲＳの送信のための第１の空間多重化に関連付けられた第１のポートを識別すること、ここにおいて、前記第１の空間多重化が、前記第２の基地局と前記第２のＵＥとの間でＤＭ−ＲＳを送信するために使用される第２のポートに関連付けられた第２の空間多重化とは異なる
をさらに備える、請求項１に記載の方法。
【請求項３】
第１のリンク識別子を、前記第１の基地局と前記第１のＵＥとの間の前記アップリンクチャネルに関連付け、第２のリンク識別子を、前記第１の基地局と前記第１のＵＥとの間の前記ダウンリンクチャネルに関連付けることと、ここにおいて、前記第１のリンク識別子が前記第２のリンク識別子とは異なる、
前記アップリンクチャネルにおける送信を用いて前記第１のリンク識別子を送信する、または、前記ダウンリンクチャネルにおける送信を用いて前記第２のリンク識別子を送信することと
をさらに備える、請求項２に記載の方法。
【請求項４】
前記アップリンクチャネルにおける送信を用いて前記第１のリンク識別子を送信することが、前記第１のリンク識別子に応じて前記ＤＭ−ＲＳを生成することを備え、
前記ダウンリンクチャネルにおける送信を用いて前記第２のリンク識別子を送信することが、前記第２のリンク識別子に応じて前記ＤＭ−ＲＳを生成することを備える、請求項３に記載の方法。
【請求項５】
ワイヤレス通信のための装置であって、
第１の基地局の仮想セル識別子を、前記第１の基地局と第１のユーザ機器（ＵＥ）との間の送信に関連付けるための手段と、ここにおいて、前記仮想セル識別子が、第２の基地局と第２のＵＥとの間の送信にも関連付けられる、
前記第１の基地局と前記第１のＵＥとの間のアップリンクチャネルおよびダウンリンクチャネルにおける復調基準信号（ＤＭ−ＲＳ）の送信のための、共通リソースブロックのセットを識別するための手段と、前記共通リソースブロックのセットの前記識別が、前記仮想セル識別子に少なくとも部分的に基づく
を備える装置。
【請求項６】
前記第１の基地局と前記第１のＵＥとの間の前記ＤＭ−ＲＳの送信のための第１の空間多重化に関連付けられた第１のポートを識別するための手段、ここにおいて、前記第１の空間多重化が、前記第２の基地局と前記第２のＵＥとの間でＤＭ−ＲＳを送信するために使用される第２のポートに関連付けられた第２の空間多重化とは異なる
をさらに備える、請求項５に記載の装置。
【請求項７】
第１のリンク識別子を、前記第１の基地局と前記第１のＵＥとの間の前記アップリンクチャネルに関連付け、第２のリンク識別子を、前記第１の基地局と前記第１のＵＥとの間の前記ダウンリンクチャネルに関連付けるための手段と、ここにおいて、前記第１のリンク識別子が前記第２のリンク識別子とは異なる、
前記アップリンクチャネルにおける送信を用いて前記第１のリンク識別子を送信する、または、前記ダウンリンクチャネルにおける送信を用いて前記第２のリンク識別子を送信するための手段と
をさらに備える、請求項６に記載の装置。
【請求項８】
前記アップリンクチャネルにおける送信を用いて前記第１のリンク識別子を送信するための前記手段が、前記第１のリンク識別子に応じて前記ＤＭ−ＲＳを生成するための手段を備え、
前記ダウンリンクチャネルにおける送信を用いて前記第２のリンク識別子を送信するための前記手段が、前記第２のリンク識別子に応じて前記ＤＭ−ＲＳを生成するための手段を備える、請求項７に記載の装置。
【請求項９】
ワイヤレス通信のためのコンピュータ実行可能コードを記憶する非一時的コンピュータ可読媒体であって、前記コードが、
請求項１〜請求項４の何れか一項に記載の方法
を実施するように前記プロセッサによって実行可能である、非一時的コンピュータ可読媒体。
【手続補正２】
【補正対象書類名】明細書
【補正対象項目名】０２６９
【補正方法】変更
【補正の内容】
【０２６９】
[0299]本開示の前述の説明は、当業者が本開示を作製または使用することができるように与えられる。本開示の様々な変更が当業者には容易に明らかとなり、本明細書において規定された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または要求しない。
したがって、本開示は、本明細書で説明される例および設計に限定されるべきでなく、本明細書で開示される原理および新規の特徴に一致する最も広い範囲を与えられるべきである。
以下に本願の出願当初の特許請求の範囲に記載された発明を付記する。
［Ｃ１］
ワイヤレス通信のための方法であって、
無認可無線周波数スペクトル帯域におけるアップリンク通信のためのアップリンクチャネルの直交周波数分割多元接続（ＯＦＤＭＡ）構成を識別することと、
前記識別されたＯＦＤＭＡ構成に基づいて、ＯＦＤＭＡ波形を生成することと、
前記アップリンクチャネルを使用して、前記無認可無線周波数スペクトル帯域における信号において、前記生成されたＯＦＤＭＡ波形を通信することと
を備える方法。
［Ｃ２］
前記アップリンクチャネルが物理アップリンク共有チャネル（ＰＵＳＣＨ）を備える、Ｃ１に記載の方法。
［Ｃ３］
インターレースまたはリソースブロックのビットマップに少なくとも部分的に基づいて、前記ＰＵＳＣＨのためのリソースを割り振ること
をさらに備える、Ｃ２に記載の方法。
［Ｃ４］
開始リソースブロックおよびリソースブロックの数、または、開始インターレースおよびインターレースの数に少なくとも部分的に基づいて、前記ＰＵＳＣＨのためのリソースを割り振ること、ここにおいて、インターレースが、帯域幅全体に及ぶように選択されたリソースブロックのあらかじめ定義されたセットである
をさらに備える、Ｃ２に記載の方法。
［Ｃ５］
前記ＰＵＳＣＨのための前記リソースを割り振ることが、マルチクラスタ送信のためであり、ここにおいて、前記ＰＵＳＣＨのための前記リソースを割り振ることが、ユーザ機器に割り当てられた前記リソースブロックのうちの２つ以上に部分的に基づく、Ｃ４に記載の方法。
［Ｃ６］
１つまたは複数のＯＦＤＭシンボル位置に従って、１つまたは複数のリソース要素に、１つまたは複数の変調シンボルをマッピングすること
をさらに備える、Ｃ２に記載の方法。
［Ｃ７］
１つまたは複数の周波数サブキャリアに従って、１つまたは複数のリソース要素に、１つまたは複数の変調シンボルをマッピングすること
をさらに備える、Ｃ２に記載の方法。
［Ｃ８］
タイムスロットと周波数サブキャリアとのインターリーブに従って、１つまたは複数のリソース要素に、１つまたは複数の変調シンボルをマッピングすること
をさらに備える、Ｃ２に記載の方法。
［Ｃ９］
１つまたは複数のタイムスロットと１つまたは複数の第１の周波数サブキャリアとの第１のセットにおいて、前記アップリンクチャネル上で復調基準信号（ＤＭ−ＲＳ）を送信すること、ここにおいて、前記１つまたは複数のタイムスロットと１つまたは複数の第１の周波数サブキャリアとの第１のセットが、ダウンリンクチャネル上でユーザ機器固有基準信号（ＵＥ−ＲＳ）を受信するために使用される、１つまたは複数のタイムスロットと１つまたは複数の第２の周波数サブキャリアとの第２のセットと同じであるをさらに備える、Ｃ２に記載の方法。
［Ｃ１０］
１つまたは複数のタイムスロットと１つまたは複数の第１の周波数サブキャリアとの第１のセットにおいて、前記アップリンクチャネル上で復調基準信号（ＤＭ−ＲＳ）を送信すること、ここにおいて、前記１つまたは複数のタイムスロットと１つまたは複数の第１の周波数サブキャリアとの第１のセットが、ダウンリンクチャネル上でユーザ機器固有基準信号（ＵＥ−ＲＳ）を受信するために使用される、１つまたは複数のタイムスロットと１つまたは複数の第２の周波数サブキャリアとの第２のセットとは、少なくとも１つの点で異なる
をさらに備える、Ｃ２に記載の方法。
［Ｃ１１］
前記識別されたＯＦＤＭＡ構成に基づいて、前記ＯＦＤＭＡ波形を生成するとき、物理リソースブロック（ＰＲＢ）バンドリングを使用すること
をさらに備える、Ｃ１に記載の方法。
［Ｃ１２］
前記識別されたＯＦＤＭＡ構成に基づいて、前記ＯＦＤＭＡ波形を生成するとき、プリコーダ循環を使用すること、ここにおいて、プリコーダが、プリコーダのあらかじめ定義されたセットを循環させられ、ここにおいて、前記プリコーダが、アップリンクグラントの一部として基地局によって示される
をさらに備える、Ｃ１に記載の方法。
［Ｃ１３］
前記プリコーダが、ダウンリンクチャネル状態情報基準信号（ＣＳＩ−ＲＳ）送信に少なくとも部分的に基づいて、ＵＥによって導出される、Ｃ１２に記載の方法。
［Ｃ１４］
前記アップリンクチャネルが、アップリンク多入力多出力（ＵＬ−ＭＩＭＯ）チャネルまたはマルチユーザＭＩＭＯ（ＭＵ−ＭＩＭＯ）チャネルを備える、Ｃ１に記載の方法。
［Ｃ１５］
前記識別されたＯＦＤＭＡ構成に基づいて、前記ＯＦＤＭＡ波形を生成するとき、シンボル電力を示すメトリックを低減するために、シンボル並べ替えまたは位相回転を適用すること
をさらに備える、Ｃ１に記載の方法。
［Ｃ１６］
前記ＯＦＤＭＡ波形に異なるスクランブリングシーケンスを適用することと、
前記無認可無線周波数スペクトル帯域における前記信号において、前記生成されたＯＦＤＭＡ波形を通信するときに使用するために、前記スクランブリングシーケンスのうちの１つを選択することと
をさらに備える、Ｃ１に記載の方法。
［Ｃ１７］
前記アップリンクチャネルが物理アップリンク制御チャネル（ＰＵＣＣＨ）を備える、Ｃ１に記載の方法。
［Ｃ１８］
前記アップリンクチャネルを使用して、前記無認可無線周波数スペクトル帯域における信号において、前記生成されたＯＦＤＭＡ波形を通信することが、
複数のインターリーブリソースブロックにおいて前記ＰＵＣＣＨの重複コピーを送信すること
を備える、Ｃ１７に記載の方法。
［Ｃ１９］
前記アップリンクチャネルを使用して、前記無認可無線周波数スペクトル帯域における信号において、前記生成されたＯＦＤＭＡ波形を通信することが、
符号分割多重化シーケンスまたは他の直交シーケンスに従って、複数のインターリーブリソースブロック内で前記ＰＵＣＣＨを多重化すること
を備える、Ｃ１７に記載の方法。
［Ｃ２０］
前記アップリンクチャネルを使用して、前記無認可無線周波数スペクトル帯域における信号において、前記生成されたＯＦＤＭＡ波形を通信することが、
拡張リソース要素グループの複数のリソース要素内で前記ＰＵＣＣＨを多重化することを備える、Ｃ１７に記載の方法。
［Ｃ２１］
前記アップリンクチャネルが、１つまたは複数の事前に割り振られたインターレース上で送信される物理ランダムアクセスチャネル（ＰＲＡＣＨ）を備える、Ｃ１に記載の方法。
［Ｃ２２］
前記アップリンクチャネル上でサウンディング基準信号（ＳＲＳ）を送信すること、前記ＳＲＳが、サブフレームの最後のＯＦＤＭシンボル位置とは異なる前記サブフレームのＯＦＤＭシンボル位置に配置される
をさらに備える、Ｃ１に記載の方法。
［Ｃ２３］
リソースの割振りとは無関係に、およびすべてのリソースブロック上で、またはリソース割振りに応じて、前記アップリンクチャネルにおいてチャネル状態情報基準信号（ＣＳＩ−ＲＳ）を送信すること
をさらに備える、Ｃ１に記載の方法。
［Ｃ２４］
基地局によって、前記アップリンクＣＳＩ−ＲＳ送信に少なくとも部分的に基づいて、ダウンリンクチャネルにおいて使用されるべきプリコーダを生成すること
をさらに備える、Ｃ２３に記載の方法。
［Ｃ２５］
前記ＣＳＩ−ＲＳの送信を調整するために、物理アップリンク共有チャネル（ＰＵＳＣＨ）および物理アップリンク制御チャネル（ＰＵＣＣＨ）のためのレートマッチングを示すこと
をさらに備える、Ｃ２３に記載の方法。
［Ｃ２６］
前記アップリンクチャネルにおいてチャネル状態情報干渉測定値（ＣＳＩ−ＩＭ）を送信すること
をさらに備える、Ｃ２３に記載の方法。
［Ｃ２７］
前記アップリンクチャネルを使用して、前記無認可無線周波数スペクトル帯域における前記信号において、サウンディング基準信号（ＳＲＳ）なしに、前記生成されたＯＦＤＭＡ波形を通信すること
をさらに備える、Ｃ１に記載の方法。
［Ｃ２８］
前記アップリンクチャネルが、物理アップリンク制御チャネル（ＰＵＣＣＨ）を備えるが物理アップリンク共有チャネル（ＰＵＳＣＨ）を備えないとき、前記アップリンクチャネルを送信するために、リソースブロックの第１のセットを使用することと、
前記アップリンクチャネルが前記ＰＵＳＣＨを備えるが前記ＰＵＣＣＨを備えないとき、前記アップリンクチャネルを送信するために、リソースブロックの第２のセットを使用することと、前記リソースブロックの第２のセットが前記リソースブロックの第１のセットとは異なる
をさらに備える、Ｃ１に記載の方法。
［Ｃ２９］
前記アップリンクチャネルが前記ＰＵＣＣＨと前記ＰＵＳＣＨとを備えるとき、前記アップリンクチャネル上で前記ＰＵＣＣＨと前記ＰＵＳＣＨとを周波数分割多重化することと、
前記ＰＵＣＣＨを送信するために、前記リソースブロックの第１のセットのすべてよりも少ないもののサブセットを使用することと、
前記ＰＵＳＣＨを送信するために、前記リソースブロックの第２のセットのうちの少なくともいくつかを使用することと
をさらに備える、Ｃ２８に記載の方法。
［Ｃ３０］
前記ＰＵＣＣＨおよび前記ＰＵＳＣＨが周波数分割多重化されるとき、前記ＰＵＳＣＨを送信するために、前記リソースブロックの第１のセットのうちの少なくとも１つをも使用すること
をさらに備える、Ｃ２９に記載の方法。
［Ｃ３１］
前記アップリンクチャネルが前記ＰＵＣＣＨと前記ＰＵＳＣＨとを備えるとき、前記ＰＵＳＣＨの少なくとも一部を送信するために、前記リソースブロックの第１のセットのうちの少なくとも１つのリソースブロックの少なくとも１つの周波数サブキャリアをパンクチャすることによって、前記ＰＵＣＣＨと前記ＰＵＳＣＨとを周波数分割多重化することをさらに備える、Ｃ２８に記載の方法。
［Ｃ３２］
前記アップリンクチャネル上で、物理アップリンク制御チャネル（ＰＵＣＣＨ）と物理アップリンク共有チャネル（ＰＵＳＣＨ）とを周波数分割多重化することと、
前記ＰＵＣＣＨの一部として、物理ダウンリンク共有チャネル（ＰＤＳＣＨ）に関係する肯定応答を送信することと、
前記ＰＵＳＣＨの一部として、同時に複数のダウンリンクキャリアのチャネル品質情報（ＣＱＩ）を送信することと
をさらに備える、Ｃ１に記載の方法。
［Ｃ３３］
基地局からシグナリングを受信することと、
前記受信されたシグナリングに少なくとも部分的に基づいて、前記アップリンクチャネルの前記ＯＦＤＭＡ構成を選択することと
をさらに備える、Ｃ１に記載の方法。
［Ｃ３４］
前記基地局からの前記シグナリングが、リソースブロック割振りを示し、前記アップリンクチャネルの前記ＯＦＤＭＡ構成が、前記リソースブロック割振りに少なくとも部分的に基づいて選択される、Ｃ３３に記載の方法。
［Ｃ３５］
前記アップリンクチャネルの前記ＯＦＤＭＡ構成が、ダウンリンクグラントにおいて示された変調およびコーディング方式（ＭＣＳ）に、または、アップリンク多入力多出力（ＵＬ−ＭＩＭＯ）／マルチユーザＭＩＭＯ（ＭＵ−ＭＩＭＯ）が有効化されるか無効化されるかに少なくとも部分的に基づいて選択される、Ｃ３３に記載の方法。
［Ｃ３６］
ワイヤレス通信のための装置であって、
無認可無線周波数スペクトル帯域におけるアップリンク通信のためのアップリンクチャネルの直交周波数分割多元接続（ＯＦＤＭＡ）構成を識別するための手段と、
前記識別されたＯＦＤＭＡ構成に基づいて、ＯＦＤＭＡ波形を生成するための手段と、
前記アップリンクチャネルを使用して、前記無認可無線周波数スペクトル帯域における信号において、前記生成されたＯＦＤＭＡ波形を通信するための手段と
を備える装置。
［Ｃ３７］
前記アップリンクチャネルが物理アップリンク共有チャネル（ＰＵＳＣＨ）を備える、Ｃ３６に記載の装置。
［Ｃ３８］
インターレースまたはリソースブロックのビットマップに少なくとも部分的に基づいて、前記ＰＵＳＣＨのためのリソースを割り振るための手段
をさらに備える、Ｃ３７に記載の装置。
［Ｃ３９］
開始リソースブロックおよびリソースブロックの数、または、開始インターレースおよびインターレースの数に少なくとも部分的に基づいて、前記ＰＵＳＣＨのためのリソースを割り振るための手段、ここにおいて、インターレースが、帯域幅全体に及ぶように選択されたリソースブロックのあらかじめ定義されたセットである
をさらに備える、Ｃ３７に記載の装置。
［Ｃ４０］
前記ＰＵＳＣＨのための前記リソースを割り振ることが、マルチクラスタ送信のためであり、ここにおいて、前記ＰＵＳＣＨのための前記リソースを割り振ることが、ユーザ機器に割り当てられた前記リソースブロックのうちの２つ以上に部分的に基づく、Ｃ３９に記載の装置。
［Ｃ４１］
１つまたは複数のＯＦＤＭシンボル位置に従って、１つまたは複数のリソース要素に、１つまたは複数の変調シンボルをマッピングするための手段
をさらに備える、Ｃ３７に記載の装置。
［Ｃ４２］
１つまたは複数の周波数サブキャリアに従って、１つまたは複数のリソース要素に、１つまたは複数の変調シンボルをマッピングするための手段
をさらに備える、Ｃ３７に記載の装置。
［Ｃ４３］
タイムスロットと周波数サブキャリアとのインターリーブに従って、１つまたは複数のリソース要素に、１つまたは複数の変調シンボルをマッピングするための手段をさらに備える、Ｃ３７に記載の装置。
［Ｃ４４］
１つまたは複数のタイムスロットと１つまたは複数の第１の周波数サブキャリアとの第１のセットにおいて、前記アップリンクチャネル上で復調基準信号（ＤＭ−ＲＳ）を送信するための手段、ここにおいて、前記１つまたは複数のタイムスロットと１つまたは複数の第１の周波数サブキャリアとの第１のセットが、ダウンリンクチャネル上でユーザ機器固有基準信号（ＵＥ−ＲＳ）を受信するために使用される、１つまたは複数のタイムスロットと１つまたは複数の第２の周波数サブキャリアとの第２のセットと同じであるをさらに備える、Ｃ３７に記載の装置。
［Ｃ４５］
１つまたは複数のタイムスロットと１つまたは複数の第１の周波数サブキャリアとの第１のセットにおいて、前記アップリンクチャネル上で復調基準信号（ＤＭ−ＲＳ）を送信するための手段、ここにおいて、前記１つまたは複数のタイムスロットと１つまたは複数の第１の周波数サブキャリアとの第１のセットが、ダウンリンクチャネル上でユーザ機器固有基準信号（ＵＥ−ＲＳ）を受信するために使用される、１つまたは複数のタイムスロットと１つまたは複数の第２の周波数サブキャリアとの第２のセットとは、少なくとも１つの点で異なる
をさらに備える、Ｃ３７に記載の装置。
［Ｃ４６］
前記識別されたＯＦＤＭＡ構成に基づいて、前記ＯＦＤＭＡ波形を生成するとき、物理リソースブロック（ＰＲＢ）バンドリングを使用するための手段
をさらに備える、Ｃ３６に記載の装置。
［Ｃ４７］
前記識別されたＯＦＤＭＡ構成に基づいて、前記ＯＦＤＭＡ波形を生成するとき、プリコーダ循環を使用するための手段、ここにおいて、プリコーダが、プリコーダのあらかじめ定義されたセットを循環させられ、ここにおいて、前記プリコーダが、アップリンクグラントの一部として基地局によって示される
をさらに備える、Ｃ３６に記載の装置。
［Ｃ４８］
前記プリコーダが、ダウンリンクチャネル状態情報基準信号（ＣＳＩ−ＲＳ）送信に少なくとも部分的に基づいて、ＵＥによって導出される、Ｃ４７に記載の装置。
［Ｃ４９］
前記アップリンクチャネルが、アップリンク多入力多出力（ＵＬ−ＭＩＭＯ）チャネルまたはマルチユーザＭＩＭＯ（ＭＵ−ＭＩＭＯ）チャネルを備える、Ｃ３６に記載の装置。
［Ｃ５０］
前記識別されたＯＦＤＭＡ構成に基づいて、前記ＯＦＤＭＡ波形を生成するとき、シンボル電力を示すメトリックを低減するために、シンボル並べ替えまたは位相回転を適用するための手段
をさらに備える、Ｃ３６に記載の装置。
［Ｃ５１］
前記ＯＦＤＭＡ波形に異なるスクランブリングシーケンスを適用するための手段と、
前記無認可無線周波数スペクトル帯域における前記信号において、前記生成されたＯＦＤＭＡ波形を通信するときに使用するために、前記スクランブリングシーケンスのうちの１つを選択するための手段と
をさらに備える、Ｃ３６に記載の装置。
［Ｃ５２］
前記アップリンクチャネルが物理アップリンク制御チャネル（ＰＵＣＣＨ）を備える、Ｃ３６に記載の装置。
［Ｃ５３］
前記アップリンクチャネルを使用して、前記無認可無線周波数スペクトル帯域における信号において、前記生成されたＯＦＤＭＡ波形を通信するための前記手段が、
複数のインターリーブリソースブロックにおいて前記ＰＵＣＣＨの重複コピーを送信すること
を備える、Ｃ５２に記載の装置。
［Ｃ５４］
前記アップリンクチャネルを使用して、前記無認可無線周波数スペクトル帯域における信号において、前記生成されたＯＦＤＭＡ波形を通信することが、
符号分割多重化シーケンスまたは他の直交シーケンスに従って、複数のインターリーブリソースブロック内で前記ＰＵＣＣＨを多重化すること
を備える、Ｃ５２に記載の装置。
［Ｃ５５］
前記アップリンクチャネルを使用して、前記無認可無線周波数スペクトル帯域における信号において、前記生成されたＯＦＤＭＡ波形を通信することが、
拡張リソース要素グループの複数のリソース要素内で前記ＰＵＣＣＨを多重化するための手段
を備える、Ｃ５２に記載の装置。
［Ｃ５６］
前記アップリンクチャネルが、１つまたは複数の事前に割り振られたインターレース上で送信される物理ランダムアクセスチャネル（ＰＲＡＣＨ）を備える、Ｃ３６に記載の装置。
［Ｃ５７］
前記アップリンクチャネル上でサウンディング基準信号（ＳＲＳ）を送信するための手段、前記ＳＲＳが、サブフレームの最後のＯＦＤＭシンボル位置とは異なる前記サブフレームのＯＦＤＭシンボル位置に配置される
をさらに備える、Ｃ３６に記載の装置。
［Ｃ５８］
リソースの割振りとは無関係に、およびすべてのリソースブロック上で、またはリソース割振りに応じて、前記アップリンクチャネルにおいてチャネル状態情報基準信号（ＣＳＩ−ＲＳ）を送信するための手段
をさらに備える、Ｃ３６に記載の装置。
［Ｃ５９］
基地局によって、前記アップリンクＣＳＩ−ＲＳ送信に部分的に基づいて、ダウンリンクチャネルにおいて使用されるべきプリコーダを生成すること
をさらに備える、Ｃ５８に記載の装置。
［Ｃ６０］
前記ＣＳＩ−ＲＳの送信を調整するために、物理アップリンク共有チャネル（ＰＵＳＣＨ）および物理アップリンク制御チャネル（ＰＵＣＣＨ）のためのレートマッチングを示すための手段
をさらに備える、Ｃ５８に記載の装置。
［Ｃ６１］
前記アップリンクチャネルにおいてチャネル状態情報干渉測定値（ＣＳＩ−ＩＭ）を送信するための手段
をさらに備える、Ｃ５８に記載の装置。
［Ｃ６２］
前記アップリンクチャネルを使用して、前記無認可無線周波数スペクトル帯域における前記信号において、サウンディング基準信号（ＳＲＳ）なしに、前記生成されたＯＦＤＭＡ波形を通信するための手段
をさらに備える、Ｃ３６に記載の装置。
［Ｃ６３］
前記アップリンクチャネルが、物理アップリンク制御チャネル（ＰＵＣＣＨ）を備えるが物理アップリンク共有チャネル（ＰＵＳＣＨ）を備えないとき、前記アップリンクチャネルを送信するために、リソースブロックの第１のセットを使用するための手段と、
前記アップリンクチャネルが前記ＰＵＳＣＨを備えるが前記ＰＵＣＣＨを備えないとき、前記アップリンクチャネルを送信するために、リソースブロックの第２のセットを使用するための手段と、前記リソースブロックの第２のセットが前記リソースブロックの第１のセットとは異なる
をさらに備える、Ｃ３６に記載の装置。
［Ｃ６４］
前記アップリンクチャネルが前記ＰＵＣＣＨと前記ＰＵＳＣＨとを備えるとき、前記アップリンクチャネル上で前記ＰＵＣＣＨと前記ＰＵＳＣＨとを周波数分割多重化することと、
前記ＰＵＣＣＨを送信するために、前記リソースブロックの第１のセットのすべてよりも少ないもののサブセットを使用することと、
前記ＰＵＳＣＨを送信するために、前記リソースブロックの第２のセットのうちの少なくともいくつかを使用することと
を行うための手段
をさらに備える、Ｃ６３に記載の装置。
［Ｃ６５］
前記ＰＵＣＣＨおよび前記ＰＵＳＣＨが周波数分割多重化されるとき、前記ＰＵＳＣＨを送信するために、前記リソースブロックの第１のセットのうちの少なくとも１つをも使用するための手段
をさらに備える、Ｃ６４に記載の装置。
［Ｃ６６］
前記アップリンクチャネルが前記ＰＵＣＣＨと前記ＰＵＳＣＨとを備えるとき、前記ＰＵＳＣＨの少なくとも一部を送信するために、前記リソースブロックの第１のセットのうちの少なくとも１つのリソースブロックの少なくとも１つの周波数サブキャリアをパンクチャすることによって、前記ＰＵＣＣＨと前記ＰＵＳＣＨとを周波数分割多重化するための手段
をさらに備える、Ｃ６３に記載の装置。
［Ｃ６７］
前記アップリンクチャネル上で、物理アップリンク制御チャネル（ＰＵＣＣＨ）と物理アップリンク共有チャネル（ＰＵＳＣＨ）とを周波数分割多重化するための手段と、
前記ＰＵＣＣＨの一部として、物理ダウンリンク共有チャネル（ＰＤＳＣＨ）に関係する肯定応答を送信するための手段と、
前記ＰＵＳＣＨの一部として、同時に複数のダウンリンクキャリアのチャネル品質情報（ＣＱＩ）を送信するための手段と
をさらに備える、Ｃ３６に記載の装置。
［Ｃ６８］
基地局からシグナリングを受信するための手段と、
前記受信されたシグナリングに少なくとも部分的に基づいて、前記アップリンクチャネルの前記ＯＦＤＭＡ構成を選択するための手段と
をさらに備える、Ｃ３６に記載の装置。
［Ｃ６９］
前記基地局からの前記シグナリングが、リソースブロック割振りを示し、前記アップリンクチャネルの前記ＯＦＤＭＡ構成が、前記リソースブロック割振りに少なくとも部分的に基づいて選択される、Ｃ６８に記載の装置。
［Ｃ７０］
前記アップリンクチャネルの前記ＯＦＤＭＡ構成が、ダウンリンクグラントにおいて示された変調およびコーディング方式（ＭＣＳ）に、または、アップリンク多入力多出力（ＵＬ−ＭＩＭＯ）／マルチユーザＭＩＭＯ（ＭＵ−ＭＩＭＯ）が有効化されるか無効化されるかに少なくとも部分的に基づいて選択される、Ｃ６８に記載の装置。
［Ｃ７１］
ワイヤレス通信のための装置であって、
プロセッサと、
前記プロセッサと電子通信しているメモリと、
前記メモリに記憶された命令と
を備え、前記命令が、
無認可無線周波数スペクトル帯域におけるアップリンク通信のためのアップリンクチャネルの直交周波数分割多元接続（ＯＦＤＭＡ）構成を識別することと、
前記識別されたＯＦＤＭＡ構成に基づいて、ＯＦＤＭＡ波形を生成することと、
前記アップリンクチャネルを使用して、前記無認可無線周波数スペクトル帯域における信号において、前記生成されたＯＦＤＭＡ波形を通信することと
を行うように前記プロセッサによって実行可能である、装置。
［Ｃ７２］
前記アップリンクチャネルが物理アップリンク共有チャネル（ＰＵＳＣＨ）を備える、Ｃ７１に記載の装置。
［Ｃ７３］
前記命令が、
１つまたは複数のタイムスロットと１つまたは複数の第１の周波数サブキャリアとの第１のセットにおいて、前記アップリンクチャネル上で復調基準信号（ＤＭ−ＲＳ）を送信すること、ここにおいて、前記１つまたは複数のタイムスロットと１つまたは複数の第１の周波数サブキャリアとの第１のセットが、ダウンリンクチャネル上でユーザ機器固有基準信号（ＵＥ−ＲＳ）を受信するために使用される、１つまたは複数のタイムスロットと１つまたは複数の第２の周波数サブキャリアとの第２のセットと同じであるを行うように前記プロセッサによって実行可能である、Ｃ７２に記載の装置。
［Ｃ７４］
前記命令が、
前記識別されたＯＦＤＭＡ構成に基づいて、前記ＯＦＤＭＡ波形を生成するとき、シンボル電力を示すメトリックを低減するために、シンボル並べ替えまたは位相回転を適用すること
を行うように前記プロセッサによって実行可能である、Ｃ７１に記載の装置。
［Ｃ７５］
前記命令が、
前記ＯＦＤＭＡ波形に異なるスクランブリングシーケンスを適用することと、
前記無認可無線周波数スペクトル帯域における前記信号において、前記生成されたＯＦＤＭＡ波形を通信するときに使用するために、前記スクランブリングシーケンスのうちの１つを選択することと
を行うように前記プロセッサによって実行可能である、Ｃ７１に記載の装置。
［Ｃ７６］
前記アップリンクチャネルが物理アップリンク制御チャネル（ＰＵＣＣＨ）を備える、Ｃ７１に記載の装置。
［Ｃ７７］
前記アップリンクチャネルを使用して、前記無認可無線周波数スペクトル帯域における信号において、前記生成されたＯＦＤＭＡ波形を通信することを行うように、前記プロセッサによって実行可能な前記命令が、
複数のインターリーブリソースブロックにおいて前記ＰＵＣＣＨの重複コピーを送信すること
を行うように前記プロセッサによって実行可能な命令を備える、Ｃ７６に記載の装置。
［Ｃ７８］
前記アップリンクチャネルを使用して、前記無認可無線周波数スペクトル帯域における信号において、前記生成されたＯＦＤＭＡ波形を通信することを行うように、前記プロセッサによって実行可能な前記命令が、
符号分割多重化シーケンスまたは他の直交シーケンスに従って、複数のインターリーブリソースブロック内で前記ＰＵＣＣＨを多重化すること
を行うように前記プロセッサによって実行可能な命令を備える、Ｃ７６に記載の装置。
［Ｃ７９］
前記アップリンクチャネルを使用して、前記無認可無線周波数スペクトル帯域における信号において、前記生成されたＯＦＤＭＡ波形を通信することを行うように実行可能な前記命令が、
拡張リソース要素グループの複数のリソース要素内で前記ＰＵＣＣＨを多重化することを行うように前記プロセッサによって実行可能な命令を備える、Ｃ７６に記載の装置。
［Ｃ８０］
前記命令が、
リソースの割振りとは無関係に、およびすべてのリソースブロック上で、またはリソース割振りに応じて、前記アップリンクチャネルにおいてチャネル状態情報基準信号（ＣＳＩ−ＲＳ）を送信すること
を行うように前記プロセッサによって実行可能である、Ｃ７１に記載の装置。
［Ｃ８１］
前記命令が、
前記アップリンクチャネルが、物理アップリンク制御チャネル（ＰＵＣＣＨ）を備えるが物理アップリンク共有チャネル（ＰＵＳＣＨ）を備えないとき、前記アップリンクチャネルを送信するために、リソースブロックの第１のセットを使用することと、
前記アップリンクチャネルが前記ＰＵＳＣＨを備えるが前記ＰＵＣＣＨを備えないとき、前記アップリンクチャネルを送信するために、リソースブロックの第２のセットを使用することと、前記リソースブロックの第２のセットが前記リソースブロックの第１のセットとは異なる
を行うように前記プロセッサによって実行可能である、Ｃ７１に記載の装置。
［Ｃ８２］
前記命令が、
前記アップリンクチャネルが前記ＰＵＣＣＨと前記ＰＵＳＣＨとを備えるとき、前記アップリンクチャネル上で前記ＰＵＣＣＨと前記ＰＵＳＣＨとを周波数分割多重化することと、
前記ＰＵＣＣＨを送信するために、前記リソースブロックの第１のセットのすべてよりも少ないもののサブセットを使用することと、
前記ＰＵＳＣＨを送信するために、前記リソースブロックの第２のセットのうちの少なくともいくつかを使用することと
を行うように前記プロセッサによって実行可能である、Ｃ８１に記載の装置。
［Ｃ８３］
前記命令が、
前記ＰＵＣＣＨおよび前記ＰＵＳＣＨが周波数分割多重化されるとき、前記ＰＵＳＣＨを送信するために、前記リソースブロックの第１のセットのうちの少なくとも１つをも使用すること
を行うように前記プロセッサによって実行可能である、Ｃ８２に記載の装置。
［Ｃ８４］
前記命令が、
前記アップリンクチャネルが前記ＰＵＣＣＨと前記ＰＵＳＣＨとを備えるとき、前記ＰＵＳＣＨの少なくとも一部を送信するために、前記リソースブロックの第１のセットのうちの少なくとも１つのリソースブロックの少なくとも１つの周波数サブキャリアをパンクチャすることによって、前記ＰＵＣＣＨと前記ＰＵＳＣＨとを周波数分割多重化することを行うように前記プロセッサによって実行可能である、Ｃ８１に記載の装置。
［Ｃ８５］
前記命令が、
前記アップリンクチャネル上で、物理アップリンク制御チャネル（ＰＵＣＣＨ）と物理アップリンク共有チャネル（ＰＵＳＣＨ）とを周波数分割多重化することと、
前記ＰＵＣＣＨの一部として、物理ダウンリンク共有チャネル（ＰＤＳＣＨ）に関係する肯定応答を送信することと、
前記ＰＵＳＣＨの一部として、同時に複数のダウンリンクキャリアのチャネル品質情報（ＣＱＩ）を送信することと
を行うように前記プロセッサによって実行可能である、Ｃ７１に記載の装置。
［Ｃ８６］
ワイヤレス通信のためのコンピュータ実行可能コードを記憶する非一時的コンピュータ可読媒体であって、前記コードが、
無認可無線周波数スペクトル帯域におけるアップリンク通信のためのアップリンクチャネルの直交周波数分割多元接続（ＯＦＤＭＡ）構成を識別することと、
前記識別されたＯＦＤＭＡ構成に基づいて、ＯＦＤＭＡ波形を生成することと、
前記アップリンクチャネルを使用して、前記無認可無線周波数スペクトル帯域における信号において、前記生成されたＯＦＤＭＡ波形を通信することと
を行うようにプロセッサによって実行可能である、非一時的コンピュータ可読媒体。
［Ｃ８７］
前記アップリンクチャネルが物理アップリンク共有チャネル（ＰＵＳＣＨ）を備える、Ｃ８６に記載のコンピュータ可読媒体。
［Ｃ８８］
前記コードが、
１つまたは複数のタイムスロットと１つまたは複数の第１の周波数サブキャリアとの第１のセットにおいて、前記アップリンクチャネル上で復調基準信号（ＤＭ−ＲＳ）を送信すること、ここにおいて、前記１つまたは複数のタイムスロットと１つまたは複数の第１の周波数サブキャリアとの第１のセットが、ダウンリンクチャネル上でユーザ機器固有基準信号（ＵＥ−ＲＳ）を受信するために使用される、１つまたは複数のタイムスロットと１つまたは複数の第２の周波数サブキャリアとの第２のセットと同じであるを行うように前記プロセッサによって実行可能である、Ｃ８７に記載のコンピュータ可読媒体。
［Ｃ８９］
前記コードが、
リソースの割振りとは無関係に、およびすべてのリソースブロック上で、またはリソース割振りに応じて、前記アップリンクチャネルにおいてチャネル状態情報基準信号（ＣＳＩ−ＲＳ）を送信すること
を行うように前記プロセッサによって実行可能である、Ｃ８６に記載のコンピュータ可読媒体。
［Ｃ９０］
前記コードが、
前記アップリンクチャネルが、物理アップリンク制御チャネル（ＰＵＣＣＨ）を備えるが物理アップリンク共有チャネル（ＰＵＳＣＨ）を備えないとき、前記アップリンクチャネルを送信するために、リソースブロックの第１のセットを使用することと、
前記アップリンクチャネルが前記ＰＵＳＣＨを備えるが前記ＰＵＣＣＨを備えないとき、前記アップリンクチャネルを送信するために、リソースブロックの第２のセットを使用することと、前記リソースブロックの第２のセットが前記リソースブロックの第１のセットとは異なる
を行うように前記プロセッサによって実行可能である、Ｃ８６に記載のコンピュータ可読媒体。
［Ｃ９１］
前記コードが、
前記アップリンクチャネルが前記ＰＵＣＣＨと前記ＰＵＳＣＨとを備えるとき、前記アップリンクチャネル上で前記ＰＵＣＣＨと前記ＰＵＳＣＨとを周波数分割多重化することと、
前記ＰＵＣＣＨを送信するために、前記リソースブロックの第１のセットのすべてよりも少ないもののサブセットを使用することと、
前記ＰＵＳＣＨを送信するために、前記リソースブロックの第２のセットのうちの少なくともいくつかを使用することと
を行うように前記プロセッサによって実行可能である、Ｃ９０に記載のコンピュータ可読媒体。
［Ｃ９２］
前記コードが、
前記アップリンクチャネルが前記ＰＵＣＣＨと前記ＰＵＳＣＨとを備えるとき、前記ＰＵＳＣＨの少なくとも一部を送信するために、前記リソースブロックの第１のセットのうちの少なくとも１つのリソースブロックの少なくとも１つの周波数サブキャリアをパンクチャすることによって、前記ＰＵＣＣＨと前記ＰＵＳＣＨとを周波数分割多重化することを行うように前記プロセッサによって実行可能である、Ｃ９０に記載のコンピュータ可読媒体。
［Ｃ９３］
ワイヤレス通信のための方法であって、
第１の基地局の仮想セル識別子を、前記第１の基地局と第１のユーザ機器（ＵＥ）との間の送信に関連付けることと、ここにおいて、前記仮想セル識別子が、第２の基地局と第２のＵＥとの間の送信にも関連付けられる、
前記第１の基地局と前記第１のＵＥとの間のアップリンクチャネルおよびダウンリンクチャネルにおける復調基準信号（ＤＭ−ＲＳ）の送信のための、共通リソースブロックのセットを識別することと、前記共通リソースブロックのセットの前記識別が、前記仮想セル識別子に少なくとも部分的に基づく
を備える方法。
［Ｃ９４］
前記第１の基地局と前記第１のＵＥとの間の前記ＤＭ−ＲＳの送信のための第１の空間多重化に関連付けられた第１のポートを識別すること、ここにおいて、前記第１の空間多重化が、前記第２の基地局と前記第２のＵＥとの間でＤＭ−ＲＳを送信するために使用される第２のポートに関連付けられた第２の空間多重化とは異なる
をさらに備える、Ｃ９３に記載の方法。
［Ｃ９５］
第１のリンク識別子を、前記第１の基地局と前記第１のＵＥとの間の前記アップリンクチャネルに関連付け、第２のリンク識別子を、前記第１の基地局と前記第１のＵＥとの間の前記ダウンリンクチャネルに関連付けることと、ここにおいて、前記第１のリンク識別子が前記第２のリンク識別子とは異なる、
前記アップリンクチャネルにおける送信を用いて前記第１のリンク識別子を送信する、または、前記ダウンリンクチャネルにおける送信を用いて前記第２のリンク識別子を送信することと
をさらに備える、Ｃ９４に記載の方法。
［Ｃ９６］
前記アップリンクチャネルにおける送信を用いて前記第１のリンク識別子を送信することが、前記第１のリンク識別子に応じて前記ＤＭ−ＲＳを生成することを備え、
前記ダウンリンクチャネルにおける送信を用いて前記第２のリンク識別子を送信することが、前記第２のリンク識別子に応じて前記ＤＭ−ＲＳを生成することを備える、Ｃ９５に記載の方法。
［Ｃ９７］
ワイヤレス通信のための装置であって、
第１の基地局の仮想セル識別子を、前記第１の基地局と第１のユーザ機器（ＵＥ）との間の送信に関連付けるための手段と、ここにおいて、前記仮想セル識別子が、第２の基地局と第２のＵＥとの間の送信にも関連付けられる、
前記第１の基地局と前記第１のＵＥとの間のアップリンクチャネルおよびダウンリンクチャネルにおける復調基準信号（ＤＭ−ＲＳ）の送信のための、共通リソースブロックのセットを識別するための手段と、前記共通リソースブロックのセットの前記識別が、前記仮想セル識別子に少なくとも部分的に基づく
を備える装置。
［Ｃ９８］
前記第１の基地局と前記第１のＵＥとの間の前記ＤＭ−ＲＳの送信のための第１の空間多重化に関連付けられた第１のポートを識別するための手段、ここにおいて、前記第１の空間多重化が、前記第２の基地局と前記第２のＵＥとの間でＤＭ−ＲＳを送信するために使用される第２のポートに関連付けられた第２の空間多重化とは異なる
をさらに備える、Ｃ９７に記載の装置。
［Ｃ９９］
第１のリンク識別子を、前記第１の基地局と前記第１のＵＥとの間の前記アップリンクチャネルに関連付け、第２のリンク識別子を、前記第１の基地局と前記第１のＵＥとの間の前記ダウンリンクチャネルに関連付けるための手段と、ここにおいて、前記第１のリンク識別子が前記第２のリンク識別子とは異なる、
前記アップリンクチャネルにおける送信を用いて前記第１のリンク識別子を送信する、または、前記ダウンリンクチャネルにおける送信を用いて前記第２のリンク識別子を送信するための手段と
をさらに備える、Ｃ９８に記載の装置。
［Ｃ１００］
前記アップリンクチャネルにおける送信を用いて前記第１のリンク識別子を送信するための前記手段が、前記第１のリンク識別子に応じて前記ＤＭ−ＲＳを生成するための手段を備え、
前記ダウンリンクチャネルにおける送信を用いて前記第２のリンク識別子を送信するための前記手段が、前記第２のリンク識別子に応じて前記ＤＭ−ＲＳを生成するための手段を備える、Ｃ９９に記載の装置。
［Ｃ１０１］
ワイヤレス通信のための装置であって、
プロセッサと、
前記プロセッサと電子通信しているメモリと、
前記メモリに記憶された命令と
を備え、前記命令が、
第１の基地局の仮想セル識別子を、前記第１の基地局と第１のユーザ機器（ＵＥ）との間の送信に関連付けることと、ここにおいて、前記仮想セル識別子が、第２の基地局と第２のＵＥとの間の送信にも関連付けられる、
前記第１の基地局と前記第１のＵＥとの間のアップリンクチャネルおよびダウンリンクチャネルにおける復調基準信号（ＤＭ−ＲＳ）の送信のための、共通リソースブロックのセットを識別することと、前記共通リソースブロックのセットの前記識別が、前記仮想セル識別子に少なくとも部分的に基づく
を行うように前記プロセッサによって実行可能である、装置。
［Ｃ１０２］
前記命令が、
前記第１の基地局と前記第１のＵＥとの間の前記ＤＭ−ＲＳの送信のための第１の空間多重化に関連付けられた第１のポートを識別すること、ここにおいて、前記第１の空間多重化が、前記第２の基地局と前記第２のＵＥとの間でＤＭ−ＲＳを送信するために使用される第２のポートに関連付けられた第２の空間多重化とは異なる
を行うように前記プロセッサによって実行可能である、Ｃ１０１に記載の装置。
［Ｃ１０３］
前記命令が、
第１のリンク識別子を、前記第１の基地局と前記第１のＵＥとの間の前記アップリンクチャネルに関連付け、第２のリンク識別子を、前記第１の基地局と前記第１のＵＥとの間の前記ダウンリンクチャネルに関連付けることと、ここにおいて、前記第１のリンク識別子が前記第２のリンク識別子とは異なる、
前記アップリンクチャネルにおける送信を用いて前記第１のリンク識別子を送信する、または、前記ダウンリンクチャネルにおける送信を用いて前記第２のリンク識別子をトランスミッティングすることと
を行うように前記プロセッサによって実行可能である、Ｃ１０２に記載の装置。
［Ｃ１０４］
前記アップリンクチャネルにおける送信を用いて前記第１のリンク識別子を送信することを行うように、前記プロセッサによって実行可能な前記命令が、前記第１のリンク識別子に応じて前記ＤＭ−ＲＳを生成することを行うように、前記プロセッサによって実行可能な命令を備え、
前記ダウンリンクチャネルにおける送信を用いて前記第２のリンク識別子を送信することを行うように、前記プロセッサによって実行可能な前記命令が、前記第２のリンク識別子に応じて前記ＤＭ−ＲＳを生成することを行うように、前記プロセッサによって実行可能な命令を備える、Ｃ１０３に記載の装置。
［Ｃ１０５］
ワイヤレス通信のためのコンピュータ実行可能コードを記憶する非一時的コンピュータ可読媒体であって、前記コードが、
第１の基地局の仮想セル識別子を、前記第１の基地局と第１のユーザ機器（ＵＥ）との間の送信に関連付けることと、ここにおいて、前記仮想セル識別子が、第２の基地局と第２のＵＥとの間の送信にも関連付けられる、
前記第１の基地局と前記第１のＵＥとの間のアップリンクチャネルおよびダウンリンクチャネルにおける復調基準信号（ＤＭ−ＲＳ）の送信のための、共通リソースブロックのセットを識別することと、前記共通リソースブロックのセットの前記識別が、前記仮想セル識別子に少なくとも部分的に基づく
を行うようにプロセッサによって実行可能である、非一時的コンピュータ可読媒体。
［Ｃ１０６］
前記コードが、
前記第１の基地局と前記第１のＵＥとの間の前記ＤＭ−ＲＳの送信のための第１の空間多重化に関連付けられた第１のポートを識別すること、ここにおいて、前記第１の空間多重化が、前記第２の基地局と前記第２のＵＥとの間でＤＭ−ＲＳを送信するために使用される第２のポートに関連付けられた第２の空間多重化とは異なる
を行うように前記プロセッサによって実行可能である、Ｃ１０５に記載のコンピュータ可読媒体。
［Ｃ１０７］
前記コードが、
第１のリンク識別子を、前記第１の基地局と前記第１のＵＥとの間の前記アップリンクチャネルに関連付け、第２のリンク識別子を、前記第１の基地局と前記第１のＵＥとの間の前記ダウンリンクチャネルに関連付けることと、ここにおいて、前記第１のリンク識別子が前記第２のリンク識別子とは異なる、
前記アップリンクチャネルにおける送信を用いて前記第１のリンク識別子を送信する、または、前記ダウンリンクチャネルにおける送信を用いて前記第２のリンク識別子をトランスミッティングすることと
を行うように前記プロセッサによって実行可能である、Ｃ１０６に記載のコンピュータ可読媒体。
［Ｃ１０８］
前記アップリンクチャネルにおける送信を用いて前記第１のリンク識別子を送信することを行うように、前記プロセッサによって実行可能な前記コードが、前記第１のリンク識別子に応じて前記ＤＭ−ＲＳを生成することを行うように、前記プロセッサによって実行可能なコードを備え、
前記ダウンリンクチャネルにおける送信を用いて前記第２のリンク識別子を送信することを行うように、前記プロセッサによって実行可能な前記コードが、前記第２のリンク識別子に応じて前記ＤＭ−ＲＳを生成することを行うように、前記プロセッサによって実行可能なコードを備える、Ｃ１０７に記載のコンピュータ可読媒体。
［Ｃ１０９］
ワイヤレス通信のための方法であって、
無認可無線周波数スペクトル帯域におけるアップリンク通信のためのアップリンクチャネルの構成を動的に選択することと、
前記選択された構成に基づいて、波形を生成することと、
前記アップリンクチャネルを使用して、前記無認可無線周波数スペクトル帯域における信号において、前記生成された波形を通信することと
を備える方法。
［Ｃ１１０］
前記アップリンクチャネルの前記構成が、直交周波数分割多元接続（ＯＦＤＭＡ）構成、シングルキャリア周波数分割多元接続（ＳＣ−ＦＤＭＡ）構成、およびリソースブロックインターリーブ周波数分割多元接続（ＦＤＭＡ）構成から選択される、Ｃ１０９に記載の方法。
［Ｃ１１１］
基地局からシグナリングを受信することと、
前記受信されたシグナリングに少なくとも部分的に基づいて、前記アップリンクチャネルの前記構成を選択することと
をさらに備える、Ｃ１０９に記載の方法。
［Ｃ１１２］
前記基地局からの前記シグナリングが、リソースブロック割振りを示し、前記アップリンクチャネルの前記構成が、前記リソースブロック割振りに少なくとも部分的に基づいて選択される、Ｃ１１１に記載の方法。
［Ｃ１１３］
前記アップリンクチャネルの前記構成が、ダウンリンクグラントにおいて示された変調およびコーディング方式（ＭＣＳ）に、または、アップリンク多入力多出力（ＵＬ−ＭＩＭＯ）／マルチユーザＭＩＭＯ（ＭＵ−ＭＩＭＯ）が有効化されるか無効化されるかに少なくとも部分的に基づいて選択される、Ｃ１１１に記載の方法。
［Ｃ１１４］
ワイヤレス通信のための装置であって、
無認可無線周波数スペクトル帯域におけるアップリンク通信のためのアップリンクチャネルの構成を動的に選択するための手段と、
前記選択された構成に基づいて、波形を生成するための手段と、
前記アップリンクチャネルを使用して、前記無認可無線周波数スペクトル帯域における信号において、前記生成された波形を通信するための手段と
を備える装置。
［Ｃ１１５］
前記アップリンクチャネルの前記構成を動的に選択するための前記手段が、
直交周波数分割多元接続（ＯＦＤＭＡ）構成、シングルキャリア周波数分割多元接続（ＳＣ−ＦＤＭＡ）構成、およびリソースブロックインターリーブ周波数分割多元接続（ＦＤＭＡ）構成から、前記アップリンクチャネルの前記構成を選択するための手段を備える、Ｃ１１４に記載の装置。
［Ｃ１１６］
基地局からシグナリングを受信するための手段と、
前記受信されたシグナリングに少なくとも部分的に基づいて、前記アップリンクチャネルの前記構成を選択するための手段と
をさらに備える、Ｃ１１４に記載の装置。
［Ｃ１１７］
前記基地局からの前記シグナリングが、リソースブロック割振りを示し、前記アップリンクチャネルの前記構成を選択するための前記手段が、前記リソースブロック割振りに少なくとも部分的に基づいて、前記アップリンクチャネルの前記構成を選択するための手段を備える、Ｃ１１６に記載の装置。
［Ｃ１１８］
前記アップリンクチャネルの前記構成を選択するための前記手段が、ダウンリンクグラントにおいて示された変調およびコーディング方式（ＭＣＳ）に、または、アップリンク多入力多出力（ＵＬ−ＭＩＭＯ）／マルチユーザＭＩＭＯ（ＭＵ−ＭＩＭＯ）が有効化されるか無効化されるかに少なくとも部分的に基づいて、前記アップリンクチャネルの前記構成を選択するための手段を備える、Ｃ１１６に記載の装置。
［Ｃ１１９］
ワイヤレス通信のための装置であって、
プロセッサと、
前記プロセッサと電子通信しているメモリと、
前記メモリに記憶された命令と
を備え、前記命令が、
無認可無線周波数スペクトル帯域におけるアップリンク通信のためのアップリンクチャネルの構成を動的に選択することと、
前記選択された構成に基づいて、波形を生成することと、
前記アップリンクチャネルを使用して、前記無認可無線周波数スペクトル帯域における信号において、前記生成された波形を通信することと
を行うように前記プロセッサによって実行可能である、装置。
［Ｃ１２０］
前記アップリンクチャネルの前記構成を動的に選択することを行うように、前記プロセッサによって実行可能な前記命令が、
直交周波数分割多元接続（ＯＦＤＭＡ）構成、シングルキャリア周波数分割多元接続（ＳＣ−ＦＤＭＡ）構成、およびリソースブロックインターリーブ周波数分割多元接続（ＦＤＭＡ）構成から、前記アップリンクチャネルの前記構成を動的に選択することを行うように前記プロセッサによって実行可能な命令を備える、Ｃ１１９に記載の装置。
［Ｃ１２１］
前記命令が、
基地局からシグナリングを受信することと、
前記受信されたシグナリングに少なくとも部分的に基づいて、前記アップリンクチャネルの前記構成を選択することと
を行うように前記プロセッサによって実行可能である、Ｃ１１９に記載の装置。
［Ｃ１２２］
前記基地局からの前記シグナリングが、リソースブロック割振りを示し、前記命令が、前記リソースブロック割振りに少なくとも部分的に基づいて、前記アップリンクチャネルの前記構成を動的に選択することを行うように、前記プロセッサによって実行可能である、Ｃ１２１に記載の装置。
［Ｃ１２３］
前記命令が、ダウンリンクグラントにおいて示された変調およびコーディング方式（ＭＣＳ）に、または、アップリンク多入力多出力（ＵＬ−ＭＩＭＯ）／マルチユーザＭＩＭＯ（ＭＵ−ＭＩＭＯ）が有効化されるか無効化されるかに少なくとも部分的に基づいて、前記アップリンクチャネルの前記構成を動的に選択することを行うように、前記プロセッサによって実行可能である、Ｃ１２１に記載の装置。
［Ｃ１２４］
ワイヤレス通信のためのコンピュータ実行可能コードを記憶する非一時的コンピュータ可読媒体であって、前記コードが、
無認可無線周波数スペクトル帯域におけるアップリンク通信のためのアップリンクチャネルの構成を動的に選択することと、
前記選択された構成に基づいて、波形を生成することと、
前記アップリンクチャネルを使用して、前記無認可無線周波数スペクトル帯域における信号において、前記生成された波形を通信することと
を行うようにプロセッサによって実行可能である、非一時的コンピュータ可読媒体。
［Ｃ１２５］
前記アップリンクチャネルの前記構成を動的に選択することを行うように、前記プロセッサによって実行可能な前記コードが、
直交周波数分割多元接続（ＯＦＤＭＡ）構成、シングルキャリア周波数分割多元接続（ＳＣ−ＦＤＭＡ）構成、およびリソースブロックインターリーブ周波数分割多元接続（ＦＤＭＡ）構成から、前記アップリンクチャネルの前記構成を動的に選択することを行うように前記プロセッサによって実行可能なコードを備える、Ｃ１２４に記載のコンピュータ可読媒体。
［Ｃ１２６］
前記コードが、
基地局からシグナリングを受信することと、
前記受信されたシグナリングに少なくとも部分的に基づいて、前記アップリンクチャネルの前記構成を選択することと
を行うように前記プロセッサによって実行可能である、Ｃ１２４に記載のコンピュータ可読媒体。
［Ｃ１２７］
前記基地局からの前記シグナリングが、リソースブロック割振りを示し、前記コードが、前記リソースブロック割振りに少なくとも部分的に基づいて、前記アップリンクチャネルの前記構成を動的に選択することを行うように、前記プロセッサによって実行可能である、Ｃ１２６に記載のコンピュータ可読媒体。
［Ｃ１２８］
前記コードが、ダウンリンクグラントにおいて示された変調およびコーディング方式（ＭＣＳ）に、または、アップリンク多入力多出力（ＵＬ−ＭＩＭＯ）／マルチユーザＭＩＭＯ（ＭＵ−ＭＩＭＯ）が有効化されるか無効化されるかに少なくとも部分的に基づいて、前記アップリンクチャネルの前記構成を動的に選択することを行うように、前記プロセッサによって実行可能である、Ｃ１２６に記載のコンピュータ可読媒体。